(57)【特許請求の範囲】
【請求項１】
支柱と、該支柱に沿って昇降可能に設けられた昇降部材とを有する昇降装置において、前記支柱は、鉛直方向に配置されたねじ棒と、該ねじ棒を回転駆動するモータとを備え、前記昇降部材は、水平方向に設けられた支軸と、該支軸に設けられて前記ねじ棒に歯合するピニオンと、該ピニオンを回転可能状態と回転不能状態とに切り替えるピニオンロック手段とを備えていることを特徴とする昇降装置。
【請求項２】
前記ピニオンロック手段は、前記昇降部材に回転可能に連結されるハンドル部材と、該ハンドル部材と一体に回転すると共に、先端にカム部を備えたハンドル軸と、該カム部に当接するカム当接部を備え、前記ハンドル軸の回転に伴って上下動するロック部材と、該ロック部材の上下動に伴って前記ピニオンに歯合する歯合位置と歯合解除位置とに移動する歯合片と、該歯合片を前記歯合位置方向に付勢するスプリング部材とを備えていることを特徴とする請求項１記載の昇降装置。
【発明の詳細な説明】
【技術分野】
【０００１】
本発明は、昇降装置に関し、特に、ロータリーエバポレータの駆動部等を支柱に沿って昇降させ、所定の位置で固定する昇降装置に関する。
【背景技術】
【０００２】
ロータリーエバポレータの駆動部を昇降させる昇降装置として、モータによりねじ棒を回転させ、ねじ棒に螺合したナット部材を介して駆動部を自動的に昇降させる電動式昇降装置と、定荷重バネにて支持した駆動部を手動で昇降させて係止部材により固定する手動式昇降装置とが知られている（例えば、特許文献１，２参照。）。
【先行技術文献】
【特許文献】
【０００３】
【特許文献１】実開平５９−１２７７０１号公報
【特許文献２】特開２００２−１５３７６１号公報
【発明の概要】
【発明が解決しようとする課題】
【０００４】
電動式昇降装置は、駆動部の上下位置を容易に微調整できたり、濃縮終了時に自動的に駆動部を上昇させたりすることができるという利点を有しているものの、駆動部の昇降に時間がかかるという問題があり、また、停電時には駆動部を昇降させることができなくなるという問題もあった。一方、手動式昇降装置は、駆動部の昇降を迅速に行うことができるという利点は有しているが、昇降操作に手間がかかるという問題があった。
【０００５】
そこで本発明は、電動式及び手動式を併せ持ち、昇降操作状況に応じて電動式と手動式とを切り替えて使用することができる昇降装置を提供することを目的としている。
【課題を解決するための手段】
【０００６】
上記目的を達成するため、本発明の昇降装置は、支柱と、該支柱に沿って昇降可能に設けられた昇降部材とを有する昇降装置において、前記支柱は、鉛直方向に配置されたねじ棒と、該ねじ棒を回転駆動するモータとを備え、前記昇降部材は、水平方向に設けられた支軸と、該支軸に設けられて前記ねじ棒に歯合するピニオンと、該ピニオンを回転可能状態と回転不能状態とに切り替えるピニオンロック手段とを備えていることを特徴としている。
【０００７】
また、前記ピニオンロック手段は、前記昇降部材に回転可能に連結されるハンドル部材と、該ハンドル部材と一体に回転すると共に、先端にカム部を備えたハンドル軸と、該カム部に当接するカム当接部を備え、前記ハンドル軸の回転に伴って上下動するロック部材と、該ロック部材の上下動に伴って前記ピニオンに歯合する歯合位置と歯合解除位置とに移動する歯合片と、該歯合片を前記歯合位置方向に付勢するスプリング部材とを備えていると好適である。
【発明の効果】
【０００８】
本発明の昇降装置によれば、ピニオンロック手段によりピニオンを回転不能状態とし、モータによりねじ棒を回転駆動させることにより昇降部材を電動で昇降させることができ、一方、ピニオンロック手段によりピニオンを回転可能状態とすることにより、昇降部材を手動で昇降させることができる。
【０００９】
また、ピニオンを回転不能状態と回転可能状態とに切り替えるピニオンロック手段を、昇降部材に設けたハンドル部材の回動で行えるように形成することにより、電動式と手動式との切り替えを容易に行えるとともに、手動で昇降部材を昇降させる操作も容易に行うことができる。
【図面の簡単な説明】
【００１０】
【図１】本発明の昇降装置の一形態例を示し、ピニオンを回転不能状態とした昇降装置の要部断面図である。
【図２】図１のII-II断面図である。
【図３】図１のIII-III断面図である。
【図４】同じくピニオンを回転可能状態とした昇降装置の要部断面図である。
【図５】図４のV-V断面図である。
【図６】同じく昇降部材を上昇させた時のロータリーエバポレータの正面図である。
【図７】同じく昇降部材を下降させた時のロータリーエバポレータの正面図である。
【発明を実施するための形態】
【００１１】
本形態例に示す昇降装置１１は、支持台１２に立設した角柱状の支柱１３に、昇降部材２１を昇降手段によって上下方向に移動可能に外嵌したものであって、本形態例に示す昇降装置の昇降部材２１には、ロータリーエバポレータ３１の本体部３１ａが取り付けられている。昇降部材２１は、支柱１３を囲繞する角筒状に形成され、昇降部材２１の隅部内壁には、前記支柱１３に形成したガイド面１３ａに沿って転動する複数のガイドローラ２１ａが取り付けられている。
【００１２】
ロータリーエバポレータ３１の本体部３１ａは、試料溶液が注入された試料フラスコ３２を着脱可能に装着した状態で回転させる駆動部３３と、試料溶液から蒸発して試料フラスコ３２から導出される溶媒蒸気を冷却して凝縮させる冷却器３４及び冷却器３４で凝縮した溶媒を回収する回収フラスコ３５とを着脱可能に装着する連結部３６と、昇降部材２１の昇降や試料フラスコ３２の回転などを制御する制御部３７とを備えている。また、支持台１２の一側には、試料フラスコ３２を加熱する加熱手段３８が設けられている。
【００１３】
支柱１３内には、昇降手段の固定側として、軸線を鉛直方向に向けて回転可能に設けられたねじ棒１４と、該ねじ棒１４をカップリング１５を介して回転駆動するモータ１６とが設けられている。また、支柱１３と昇降部材２１との間には、バランサ１７が設けられている。
【００１４】
昇降部材２１の内部には、昇降手段の可動側を構成する各部品を収納したケース２１ｂが取り付けられている。ケース２１ｂには、水平方向の支軸２２と、該支軸２２に設けられて前記ねじ棒１４に歯合するピニオン２３と、該ピニオン２３を回転可能状態と回転不能状態とに切り替えるピニオンロック手段２４とが設けられている。ピニオンロック手段２４は、ケース２１ｂの両側板に形成した鉛直方向のスリット２１ｃにガイドされて上下動するロック部材２５と、カム機構２６を介してロック部材２５を上下動させるハンドル部材２７とを備えている。
【００１５】
ロック部材２５は、ピニオン２３側に突出する水平方向の支持片２５ａと、該支持片２５ａの下面に取り付けられ、ピニオン２３と歯合可能な歯合片２５ｂ，２５ｂと、中央部に前記カム機構２６を構成するカム当接部２５ｃを備えたスライド板２５ｄと、該スライド板２５ｄを下方に付勢するスプリング部材２５ｅ，２５ｅとを備えている。
【００１６】
ハンドル部材２７は、昇降部材２１の下方に手前側に突出した状態で設けられており、ハンドル軸２７ａを中心として左右方向に回動可能に形成されている。昇降部材２１の内部に突出したハンドル軸２７ａの先端には、ロック部材２５を上下動させる前記カム機構２６を構成する扇状のカム部２７ｂが設けられている。
【００１７】
カム機構２６は、前記カム部２７ｂと、前記カム当接部２５ｃとで構成され、カム部２７ｂは、ハンドル軸２７ａの先端外周面の約３／４に形成される円弧凹部２７ｃと、先端外周面の約１／４とハンドル軸２７ａの中心軸とを含む突出部２７ｄとで形成される。また、カム当接部２５ｃは、カム部２７ｂが挿通される縦長長方形状の通孔で形成され、該通孔にカム部２７ｂが挿通され、通孔の上部側がカム部２７ｂに当接する前記カム当接部２５ｃとなる。
【００１８】
ピニオンロック手段２４は、昇降部材２１のケース２１ｂと、ハンドル部材２７と、カム部２７ｂを備えたハンドル軸２７ａと、カム当接部２５ｃと歯合片２５ｂ，２５ｂとを備えたロック部材２５と、スプリング部材２５ｅ，２５ｅとで構成されている。
【００１９】
上述のように形成された昇降装置１１によれば、電動式及び手動式の双方で昇降部材２１を昇降させることができる。電動式で昇降部材２１を昇降させる際には、図１乃至３に示すように、ハンドル部材２７を回動させてハンドル軸２７ａの先端のカム部２７ｂの円弧凹部２７ｃを上方に向ける。これに伴って、スプリング部材２５ｅ，２５ｅの付勢力によりカム当接部２５ｃが円弧凹部２７ｃに当接することからスライド部２７ｂが下方にスライドし、支持片２５ａ，歯合片２５ｂ，２５ｂが下降して歯合片２５ｂ，２５ｂがピニオン２３に歯合する。これにより、ピニオン２３が回動不能状態となり、制御部３７や支持台１２等の適宜な位置に設けたスイッチを操作してモータ１６を作動させ、ねじ棒１４を一方に回転させることにより昇降部材２１が上昇し、ねじ棒１４を他方に回転させることにより昇降部材２１が下降する。さらに、昇降部材２１が所定の高さに達したときにモータ１６を止めることにより、昇降部材２１を所定の高さに固定することができる。
【００２０】
一方、手動式で昇降部材を昇降させる際には、図４及び図５に示すように、ハンドル部材２７を回動させてハンドル軸２７ａのカム部２７ｂの突出部２７ｄを上方に向ける。これに伴って、スプリング部材２５ｅ，２５ｅの付勢力に抗してカム当接部２５ｃが突出部２７ｄに当接することからスライド部２７ｂが上方にスライドし、支持片２５ａ，歯合片２５ｂ，２５ｂが上昇して歯合片２５ｂ，２５ｂとピニオン２３との歯合が解除される。
【００２１】
これにより、ハンドル部材２７を持って昇降部材２１を昇降させることが可能となり、ピニオン２３は、ねじ棒１４に沿って回転しながら昇降し、所定の高さに達した状態で、ハンドル部材２７を反対方向に回動させ、カム部２７ｂの円弧凹部２７ｃを上方に向けることにより、スプリング部材２５ｅ，２５ｅの付勢力によりカム当接部２５ｃが円弧凹部２７ｃに当接することからスライド部２７ｂが下方にスライドし、支持片２５ａ，歯合片２５ｂ，２５ｂが下降して歯合片２５ｂ，２５ｂをピニオン２３に歯合させ、昇降部材２１を所定の高さに固定することができる。
【００２２】
上述のような昇降部材２１を適用したロータリエバポレータ３１では、加熱手段３８となる、例えば、恒温水槽の水温を設定値とし、図７に示すように、駆動部３３にて試料フラスコ３２を回転させながら、昇降装置１１によって、電動或いは手動で昇降部材２１を下降させ、試料フラスコ３２を恒温水槽内の水中に沈め、試料フラスコ３２内の試料溶液の濃縮作業を行う。この作業中、試料溶液から蒸発した溶媒蒸気は、試料フラスコ３２から冷却器３４に流入して冷却されることにより凝縮し、凝縮した溶媒は、冷却器から回収フラスコ３５に回収される。濃縮作業終了後、昇降装置１１によって、電動或いは手動で昇降部材２１を上昇させ、駆動部３３を止めて試料フラスコ３２の回転を停止させ、試料フラスコ３２を取り外して、次の段階、例えば分析操作等を行う。
【００２３】
上述のような昇降装置１１は、電動式と手動式とを併せ持つことにより、手動での迅速な昇降と、電動での精密な昇降とを適宜適用でき、作業効率の向上を図ることができる。
【００２４】
また、モータの故障や停電時など、電動式の操作が適用できない場合でも、簡単かつ迅速に手動式に切り替えることができ、濃縮作業に支障を来すことがない。また、バランサ１７を設けているので、手動での昇降部材２１の昇降も容易に行うことができ、電動で昇降させる場合も、ねじ棒１４やピニオン２３への負担が軽くなり、モータ１６のトルクも小さくできる。
【００２５】
尚、本発明は上述の形態例に限るものはなく、カム板やカム当接部の形状は任意である。また、歯合片の形状も任意であり、ピニオンの下方から歯合片が歯合する構造とすることもできる。
【符号の説明】
【００２６】
１１…昇降装置、１２…支持台、１３…支柱、１３ａ…ガイド面、１４…ねじ棒、１５…カップリング、１６…モータ、１７…バランサ、２１…昇降部材、２１ａ…ガイドローラ、２１ｂ…ケース、２２…支軸、２３…ピニオン、２４…ピニオンロック手段、２４ａ…スリット、２５…ロック部材、２５ａ…支持片、２５ｂ…歯合片、２５ｃ…カム当接部、２５ｄ…スライド板、２５ｅ…スプリング部材、２６…カム機構、２７…ハンドル部材、２７ａ…ハンドル軸、２７ｂ…カム部、２７ｃ…円弧凹部、２７ｄ…突出部、３１…ロータリーエバポレータ、３１ａ…本体部、３２…試料フラスコ、３３…駆動部、３４…冷却器、３５…回収フラスコ、３６…連結部、３７…制御部、３８…加熱手段
【図１】
0005540212.tif 000002
【図２】
0005540212.tif 000003
【図３】
0005540212.tif 000004
【図４】
0005540212.tif 000005
【図５】
0005540212.tif 000006
【図６】
0005540212.tif 000007
【図７】
0005540212.tif 000008